(57)【要約】【課題】壁際以外の個所において使用する場合は軽量衝撃、重量衝撃の両方に対応でき、また、壁際において使用すると床の沈み込みを抑制して家具を安定して設置できる。【解決手段】スラブ１上に立設するための脚部２の上部にトッププレート３を設けると共にこのトッププレート３上に第１の防振材４と第１の防振材４よりも硬い第２の防振材５を設け、第１の防振材４の上端部にパネル受け６を取付ける。第２の防振材５の上面とパネル受け６の下面との間に隙間７を形成する。隙間７に耐荷重スペーサ８を取り外し自在に介在させる。【選択図】        図１
2004176370.tif 000002
【特許請求の範囲】
【請求項１】
スラブ上に立設するための脚部の上部にトッププレートを設けると共にこのトッププレート上に第１の防振材と第１の防振材よりも硬い第２の防振材を設け、第１の防振材の上端部にパネル受けを取付け、第２の防振材の上面とパネル受けの下面との間に隙間を形成し、該隙間に耐荷重スペーサを取り外し自在に介在させて成ることを特徴とする二重床の支持脚。
【請求項２】
トッププレート上において第１の防振材よりも第２の防振材がトッププレートの外端側にずれて位置していることを特徴とする請求項１記載の二重床の支持脚。
【請求項３】
金属板よりなるトッププレートに大径孔と小径孔とが連通するだるま孔を複数個設け、木又は人造木よりなるパネル受けの下面部に複数の嵌め込み孔を形成し、上記トッププレートに設けた複数のだるま孔は大径孔の隣に小径孔が隣接して連通する向きが異なる２種類以上からなり、第１の防振材の上端部に弾性圧入部を設けると共に第１の防振材の下端部に細首部を介して膨出部を突出させ、細首部の径をだるま孔の小径孔よりも小さく設定し、膨出部の径を大径孔より大きく且つ小径孔よりも小さく設定すると共に第１の防振材の細首部のすぐ上の部位を小径孔よりも大径とし、各小径孔にそれぞれ第１の防振材の下端部の細首部を挿通すると共に第１の防振材の細首部のすぐ上の部位と膨出部とをトッププレートに上下から圧接し、各第１の防振材の上端部の弾性圧入部をパネル受けの下面部の各嵌め込み孔に弾性圧入して成ることを特徴とする請求項１又は請求項２記載の二重床の支持脚。
【請求項４】
トッププレートの上面に剛体よりなる沈み込み防止ストッパを設け、沈み込み防止ストッパの上面を第２の防振材の上面よりも下位置として成ることを特徴とする請求項１乃至請求項３のいずれかに記載の二重床の支持脚。
【発明の詳細な説明】
【０００１】
【発明の属する技術分野】
本発明は、スラブ上に立設して床材を支持するための二重床の支持脚に関するものである。
【０００２】
【従来の技術】
従来からスラブ上に立設して床材を支持するための二重床の支持脚として、スラブ上に立設するための脚部の上部にトッププレートを設けると共にこのトッププレート上に防振ゴムよりなる防振材を取付け、この防振材の上端部にパネル受けを取付けたものが知られている。（例えば、特許文献１参照）
。
【０００３】
【特許文献１】
特開２００１−２０７６２８号公報
【０００４】
【発明が解決しようとする課題】
ところが、上記した特許文献１に示すような二重床の支持脚は、衝撃−変位（ばね定数）が直線比例する一種類の防振材により衝撃を受けていたので、床衝撃音対策として防振材を柔らかくすると床の沈み込みが大きくなり、床の沈み込みを抑えるために防振材を硬くすると床衝撃音対策が十分でないという問題がある。そして、床衝撃音レベルには、スプーン落下音やスリッパ歩行時の音などを対象とした軽量床衝撃音と、子供の飛び跳ね音などを対象とした重量床衝撃音があるが、従来においては防振材の衝撃−変位特性が直線的であり、両方を良くするようにすることは困難である。つまり、軽量床衝撃音対策としてゴムより成る防振材を軟らかくすると、重量床衝撃音の際における床の沈み込みが大きくなってしまう。更に、防振材を軟らかくすると壁際において家具などを床上に設置する場合、床の沈み込みが大きすぎて家具が傾いたり、安定して支持できなかったりするという問題がある。また、重量衝撃の際に床の沈み込みを小さくするため防振材を硬くすると軽量床衝撃に対して効果が発揮できないという問題がある。
【０００５】
本発明は上記の点に鑑みてなされたものであり、軽量衝撃に対して効果を発揮すると共に、重量衝撃の際の沈み込みを抑制することができ、更に、上記のように軽量衝撃、重量衝撃の両方に対応したものにおいて、壁際などにおいて家具などを設置する場合のように長期にわたって床に荷重がかかるような際に簡単な構成で床の沈み込みを抑制して家具を安定して設置できる二重床の支持脚を提供することを課題とするものである。
【０００６】
【課題を解決するための手段】
上記課題を解決するために本発明に係る二重床の支持脚は、スラブ１上に立設するための脚部２の上部にトッププレート３を設けると共にこのトッププレート３上に第１の防振材４と第１の防振材４よりも硬い第２の防振材５を設け、第１の防振材４の上端部にパネル受け６を取付け、第２の防振材５の上面とパネル受け６の下面との間に隙間７を形成し、該隙間７に耐荷重スペーサ８を取り外し自在に介在させて成ることを特徴とするものである。
【０００７】
このような構成とすることで、壁際などの家具を載置する個所以外の一般の個所においては、耐荷重スペーサ８を取り外した状態で使用し、軽量衝撃を受けた際には第１の防振材４により軽量衝撃を吸収し、また、重量衝撃を受けて第１の防振材４の沈み込み量が所定量以上の沈み込み量となった際に第２の防振材５で受けて重量衝撃を第２の防振材５で吸収することができるものであって、床衝撃音の改善と床沈み込みの抑制とを同時に図ることができ、また、壁際などの家具を載置する個所においては第２の防振材５の上面とパネル受け６の下面との間の隙間７に耐荷重スペーサ８を介在させて使用し、これにより、壁際などにおいて家具などを設置する場合のように長期にわたって床に荷重がかかるような際に床の沈み込みを抑制することができるものである。
【０００８】
また、トッププレート３上において第１の防振材４よりも第２の防振材５がトッププレート３の外端側にずれて位置することが好ましい。
【０００９】
このような構成とすることで、第２の防振材５の上面とパネル受け６の下面との間の隙間７に耐荷重スペーサ８を介在させるに当たって、第１の防振材４に邪魔されることなく、外側から簡単に耐荷重スペーサ８の隙間７への挿入が容易に行えることになる。
【００１０】
また、金属板よりなるトッププレート３に大径孔９ａと小径孔９ｂとが連通するだるま孔９を複数個設け、木又は人造木よりなるパネル受け６の下面部に複数の嵌め込み孔１０を形成し、上記トッププレート３に設けた複数のだるま孔９は大径孔９ａの隣に小径孔９ｂが隣接して連通する向きが異なる２種類以上からなり、第１の防振材４の上端部に弾性圧入部１１を設けると共に第１の防振材４の下端部に細首部１２を介して膨出部１３を突出させ、細首部１２の径をだるま孔９の小径孔９ｂよりも小さく設定し、膨出部１３の径を大径孔９ａより大きく且つ小径孔９ｂよりも小さく設定すると共に第１の防振材４の細首部１２のすぐ上の部位１４を小径孔９ｂよりも大径とし、各小径孔９ｂにそれぞれ第１の防振材４の下端部の細首部１２を挿通すると共に第１の防振材４の細首部１２のすぐ上の部位１４と膨出部１３とをトッププレート３に上下から圧接し、各第１の防振材４の上端部の弾性圧入部１１をパネル受け６の下面部の各嵌め込み孔１０に弾性圧入することが好ましい。
【００１１】
このような構成とすることで金属板よりなるトッププレート３と木又は人造木よりなるパネル受け６とを、第１の防振材４で金属板よりなるトッププレート３に対しては引掛け係止により取付け、木又は人造木よりなるパネル受け６に対しては嵌め込みにより取付けることができ、しかも、取付け状態で、細首部１２が大径孔９ａ側に移動することがなく、したがって、大径孔９ａから膨出部１３が抜けることがないものである。
【００１２】
また、トッププレート３の上面に剛体よりなる沈み込み防止ストッパ１５を設け、沈み込み防止ストッパ１５の上面を第２の防振材５の上面よりも下位置とすることが好ましい。
【００１３】
このような構成とすることで、第２の防振材５が最大の沈み込み量になるとパネル受け６が沈み込み防止ストッパ１５に当たってそれ以上の沈み込みを防止できるものである。
【００１４】
【発明の実施の形態】
以下、本発明を添付図面に示す実施形態に基づいて説明する。
【００１５】
本発明の二重床の支持脚Ａは、スラブ１上に立設するための脚部２の上部に金属板よりなるトッププレート３を設けると共にこのトッププレート３上に第１の防振材４と第１の防振材４よりも硬い第２の防振材５を設け、更に第１の防振材４の上端部に木又は人造木製のパネル受け６を取付け、第２の防振材５の上面とパネル受け６の下面との間に隙間７を形成し、該隙間７に耐荷重スペーサ８を取り外し自在に介在させることで構成してある。
【００１６】
脚部２は金属製のボルト部２ａと、ボルト部２ａを深浅自在に螺合する内周に雌ねじを設けた金属製の筒体２ｂとで構成してあって高さ調整自在となっており、筒体２ｂの下端部には金属製のベース部１６が設けてある。また、ボルト部２ａの上端部に固着した金属板よりなるトッププレート３は例えばＳＰＣＣ亜鉛メッキ２．３ｍｍが使用され、トッププレート３の上面部の中央部には剛体よりなる（実施形態では金属製）沈み込み防止ストッパ１５が設けてある。また、第１の防振材４はゴムや発泡合成樹脂等の弾性を有する材料により形成してあり、例えば天然ゴム（硬度５０度）製で直径１４ｍｍ、高さ１２ｍｍが使用され、また、第２の防振材５はゴムや発泡合成樹脂等の弾性を有する材料により形成してあり、例えば天然ゴム（硬度４５度）製で幅１０ｍｍ、長さ４０ｍｍ、高さ１０ｍｍのものが用いられる。また、パネル受け６は例えば合板（８８ｍｍ×８８ｍｍ×２５ｍｍ）が用いられる。また、耐荷重スペーサ８は例えばアクリル樹脂（１０ｍｍ×４０ｍｍ×２ｍｍ）が用いられる。この耐荷重性スペーサ８の厚みは上記隙間７の隙間幅と同じとなっている（つまり第１の防振材４の上端から第２の防振材５の上端までの長さと同じになっている）。
【００１７】
ここで、トッププレート３上において第１の防振材４よりも第２の防振材５がトッププレート３の外端側にずれて位置するように取付けてある。
【００１８】
第２の防振材５はトッププレート３上面に接着剤により接着することにより取付けてある。
【００１９】
一方、第１の防振材４は例えば図２のようにしてトッププレート３、パネル受け６に対して取付けてある。
【００２０】
すなわち、パネル受け６に対して厚みが薄い金属板よりなるトッププレート３には大径孔９ａと小径孔９ｂとが連通するだるま孔９を複数個設け、トッププレート３よりも厚みが厚い木又は人造木よりなるパネル受け６の下面部に複数の嵌め込み孔１０を形成してある。図２に示す実施形態では平面視でトッププレート３の前後左右の４箇所にそれぞれだるま孔９が設けてある。このトッププレート３に設けた複数のだるま孔９は大径孔９ａの隣に小径孔９ｂが隣接して連通する向きが異なる２種類以上からなっている。図２に示す実施形態では左側に位置する２個のだるま孔９は小径孔９ｂが大径孔９ａよりも左方側にずれて位置し、右側に位置する２個のだるま孔９は小径孔９ｂが大径孔９ａよりも右方側にずれて位置し、これにより左側に位置する２個のだるま孔９の大径孔９ａの隣に小径孔９ｂが隣接して連通する向きと、右側に位置する２個のだるま孔９の大径孔９ａの隣に小径孔９ｂが隣接して連通する向きとが互いに逆方向となっている。
【００２１】
柱状をした第１の防振材４の上端部には外周に複数段の嵌め込み突起１７を有する弾性圧入部１１が設けてあり、また、第１の防振材４の下端部には細首部１２を介して膨出部１３を突出させてある。ここで、細首部１２の径はだるま孔９の小径孔９ｂよりも小さく設定してあり、膨出部１３の径は大径孔９ａより大きく且つ小径孔９ｂよりも小さく設定してあり、第１の防振材４の細首部１２のすぐ上の部位１４が小径孔９ｂよりも大径としてある。
【００２２】
そして、複数のだるま孔９の各大径孔９ａから第１の防振材４の下端部の膨出部１３を挿通してトッププレート３の下面側に至らせると共に細首部１２を大径孔９ａ内に位置させ、この状態で細首部１２を小径孔９ｂ側に移動して細首部１２を小径孔９ｂに挿通すると共に第１の防振材４の細首部１２のすぐ上の部位１４と膨出部１３とをトッププレート３に上下から圧接することで複数のだるま孔９にそれぞれ第１の防振材４の下端部を取付ける。この状態で、各第１の防振材４の上端部をパネル受け６の下面部に形成した複数の嵌め込み孔１０に弾性圧入することで取付ける。
【００２３】
複数のだるま孔９の小径孔９ｂの位置と複数の嵌め込み孔１０とは上下方向において互いに対向した位置に設けてある。そして、複数の第１の防振材４はパネル受け６に設けた複数の嵌め込み孔１０に対して弾性圧入してあるので各第１の防振材４相互の位置関係は一定に保たれ、複数の第１の防振材４がパネル受け６対して横方向にずれることがなく、また、トッププレート３に設けた複数のだるま孔９は大径孔９ａの隣に小径孔９ｂが隣接して連通する向きが異なる２種類以上からなっているので、複数の第１の防振材４がパネル受け６により横方向の移動が阻止されている関係で、各第１の防振材４が大径孔９ａ側にずれることがなく、したがって、第１の防振材４の下端部を金属板よりなるトッププレート３に対してだるま孔９の大径孔９ａから小径孔９ｂに移動して引掛け係止により取付けるようにしたにもかかわらずだるま孔９から外れないものである。
【００２４】
しかして、上記のような構成の二重床の支持脚Ａは、脚部２の下端部に設けたベース部１６を建物のスラブ１の上面に載設し、支持脚Ａのパネル受け６の上に二重床用パネル２０（例えば２５ｍｍ厚のパーチクルボード）、床表面仕上げ材２１（例えば１２ｍｍ厚のフローリング）を順次載設して床が構成するものである。
【００２５】
ここで、壁際などの家具を載置する個所以外の一般の個所においては、図３に示すように、耐荷重スペーサ８を取り外した状態で使用し、一方、壁際などの家具を載置する個所においては、図４に示すように、第２の防振材５の上面とパネル受け６の下面との間の隙間７に耐荷重スペーサ８を介在させて使用するものである。
【００２６】
ところで、図３に示す壁際などの家具を載置する個所以外の一般の個所においては、床表面仕上げ材２１にスプーンが落下したり、床表面仕上げ材２１上をスリッパ歩行をしたりすると軽量衝撃が発生するが、この軽量衝撃を受けた際には第１の防振材４により軽量衝撃を吸収する。また、子供が床表面仕上げ材２１上で飛び跳ねたりすると、重量衝撃が発生するが、このように重量衝撃を受けて第１の防振材４の沈み込み量が所定量以上の沈み込み量となった際に第１の防振材４よりも硬い第２の防振材５で受けて重量衝撃を第２の防振材５で吸収する（この時同時に第１の防振材４も所定以上沈み込む）ものである。なお、第２の防振材５の沈み込みが最大の沈み込み量となると床パネル受け６が剛体よりなる沈み込み防止ストッパ１５に当たってそれ以上は沈み込まないようになっている。このようにして本発明においては、床衝撃音の改善と床沈み込みの抑制とを同時に図ることができるものである。
【００２７】
また、壁際などの家具を載置する個所においては、図４のように第２の防振材５の上面とパネル受け６の下面との間の隙間７に耐荷重スペーサ８を介在させて使用することで、これにより、耐荷重スペーサ８を介して第１の防振材４よりも硬い第２の防振材５で荷重を受け、壁際などにおいて家具などを設置する場合のように長期にわたって床に荷重がかかるような際に床の沈み込みを抑制することができるものである。
【００２８】
【発明の効果】
上記のように本発明の請求項１記載の発明にあっては、スラブ上に立設するための脚部の上部にトッププレートを設けると共にこのトッププレート上に第１の防振材と第１の防振材よりも硬い第２の防振材を設け、第１の防振材の上端部にパネル受けを取付け、第２の防振材の上面とパネル受けの下面との間に隙間を形成し、該隙間に耐荷重スペーサを取り外し自在に介在させてあるので、壁際などの家具を載置する個所以外の一般の個所においては、耐荷重スペーサを取り外した状態で使用し、軽量衝撃を受けた際には第１の防振材により軽量衝撃を吸収し、また、重量衝撃を受けて第１の防振材の沈み込み量が所定量以上の沈み込み量となった際に第２の防振材で受けて重量衝撃を第２の防振材で吸収することができて、床衝撃音の改善と床沈み込みの抑制とを同時に図ることができ、また、壁際などの家具を載置する個所においては第２の防振材の上面とパネル受けの下面との間の隙間に耐荷重スペーサを介在させて使用することで耐荷重性を確保し、壁際などにおいて家具などを設置する場合のように長期にわたって床に荷重がかかるような際に床の沈み込みを抑制することができ、これにより、本発明においては、壁際以外の防振性が必要な一般の場所と、耐荷重性が必要である壁際とに使用する支持脚として共通化できるものである。
【００２９】
また、請求項２記載の発明にあっては、上記請求項１記載の発明の効果に加えて、トッププレート上において第１の防振材よりも第２の防振材がトッププレートの外端側にずれて位置しているので、第２の防振材の上面とパネル受けの下面との間の隙間に耐荷重スペーサを介在させるに当たって、第１の防振材に邪魔されることなく、外側から簡単に耐荷重スペーサの隙間への挿入が容易に行えるものである。
【００３０】
また、請求項３記載の発明にあっては、上記請求項１又は請求項２記載の発明の効果に加えて、金属板よりなるトッププレートにだるま孔を複数個設け、木又は人造木よりなるパネル受けの下面部に複数の嵌め込み孔を形成し、トッププレートに設けた複数のだるま孔は大径孔の隣に小径孔が隣接して連通する向きが異なる２種類以上からなり、各小径孔にそれぞれ第１の防振材の下端部の細首部を挿通すると共に第１の防振材の細首部のすぐ上の部位と膨出部とをトッププレートに上下から圧接し、各第１の防振材の上端部の弾性圧入部をパネル受けの下面部の各嵌め込み孔に弾性圧入してあるので、金属板よりなるトッププレートと木又は人造木よりなるパネル受けとを、第１の防振材で金属板よりなるトッププレートに対しては引掛け係止により取付け、木又は人造木よりなるパネル受けに対しては嵌め込みにより取付けることができるものであって取付けが簡単となり、しかも、このように、簡単に取付けることができるようにしたにも関わらず、取付け状態で、細首部が大径孔側に移動することがなく、したがって、大径孔から膨出部が抜けることがないものである。
【００３１】
また、請求項４記載の発明にあっては、請求項１乃至請求項３のいずれかに記載の発明の効果に加えて、トッププレートの上面に剛体よりなる沈み込み防止ストッパを設け、沈み込み防止ストッパの上面を第２の防振材の上面よりも下位置としているので、第２の防振材の最大の沈み込み量となるとパネル受けが沈み込み防止ストッパに当たってそれ以上の沈み込みを防止できるものである。
【図面の簡単な説明】
【図１】本発明の二重床の支持脚の正面図である。
【図２】同上の分解斜視図である。
【図３】同上の二重床の支持脚を建物のスラブ上の壁際以外に設置し、支持脚により床材を支持している状態の概略構成図である。
【図４】同上の二重床の支持脚を建物のスラブ上の壁際に設置し、支持脚により床材を支持している状態の概略構成図である。
【符号の説明】
１  スラブ
２  脚部
３  トッププレート
４  第１の防振材
５  第２の防振材
６  パネル受け
７  隙間
８  耐荷重スペーサ
９  だるま孔
９ａ  大径孔
９ｂ  小径孔
１０  嵌め込み孔
１１  弾性圧入部
１２  細首部
１３  膨出部
１４  細首部のすぐ上の部位
１５  沈み込み防止ストッパ
【図１】
2004176370.tif 000003
【図２】
2004176370.tif 000004
【図３】
2004176370.tif 000005
【図４】
2004176370.tif 000006